(57)【特許請求の範囲】
【請求項１】
建物のコンクリート体に埋設される配線・配管材の保護管の端部と繋がるとともに、前記コンクリート体の外側に臨むようにしてそのコンクリート体に埋め込まれる、配線・配管材引込みカバーであって、
前記保護管の端部が接続される中空のコネクタと、前記コンクリート体の外面と面一となる基準面を備えるカバー本体とを有し、
前記コネクタは、前記カバー本体の一方側に設けられるとともに、そのコネクタの軸心が、前記カバー本体の他方側ほど前記基準面に近づくように、前記基準面に対して傾斜して設けられ、かつ、前記コネクタは、前記カバー本体の外側に、そのコネクタの一方側の端面が前記カバー本体の取付板に当接するようにして、前記カバー本体に、固着手段を介して着脱可能に取り付けられ、
前記カバー本体は、前記コネクタの内側空間と連通するとともに前記基準面側に開口する開口部を備え、また、
前記カバー本体には、そのカバー本体の一方側を中心として、他方側が前記コンクリート体から抜け出すように回動するのを防止する抜脱防止部が、前記基準面と略直角となるようにして備わり、
前記カバー本体は、前記固着手段が外されると、前記コネクタを残して、前記コンクリート体から、そのコンクリート体の前記外面と直交する方向に取り出し可能となっていることを特徴とする、配線・配管材引込みカバー。
【請求項２】
前記固着手段は、雄ネジ部が形成された中空の他のコネクタからなり、また、前記コネクタには、雌ネジ部が形成されており、
前記コネクタの雌ネジ部に、前記他のコネクタの雄ネジ部が螺合することで、前記取付板を、前記コネクタと前記他のコネクタとで挟み込むことを特徴とする請求項１に記載の、配線・配管材引込みカバー。
【請求項３】
前記抜脱防止部は、前記カバー本体の他方側に設けられていることを特徴とする請求項１または２に記載の、配線・配管材引込みカバー。
【発明の詳細な説明】
【０００１】
【発明の属する技術分野】
この発明は、建物のコンクリート体に埋設される配線・配管材の保護管の端部と繋がるとともに、前記コンクリート体の外側に臨むようにしてそのコンクリート体に埋め込まれる、配線・配管材引込みカバーに関するものである。
【０００２】
【従来の技術および、発明が解決しようとする課題】
従来、建物のコンクリート体としての天井に埋め込まれる配線・配管材引込みカバーとして、例えば、図５に示すようなものがあった。この配線・配管材引込みカバー１１は、カバー本体１２とコネクタ１３とを有しており、天井１４への埋込みにあたっては、配線・配管材引込みカバー１１が、型枠１５に止められて、その配線・配管材引込みカバー１１を覆うように、天井１４を形成する生コンクリートが打設された。そして、配線・配管材引込みカバー１１には、予め、カバー本体１２の一方側Ｄ１のコネクタ１３に、配線・配管材の保護管１６の端部が接続されており、この保護管１６もまた、天井１４に埋設された。
【０００３】
しかし、前記従来の配線・配管材引込みカバー１１においては、打設された生コンクリートの硬化後に型枠１５を取り外そうとすると、コネクタ１３側となるカバー本体１２の一方側Ｄ１を中心として、他方側Ｄ２が、天井１４から抜け出すように回動する虞があった（図５において二点鎖線で示す）。
【０００４】
この発明は、上記した従来の欠点を解決するためになされたものであり、その目的とするところは、コンクリート体から抜け出すのを防止することができる、配線・配管材引込みカバーを提供することにある。
【０００５】
また、他の目的は、必要な場合に、カバー本体をコンクリート体から、容易に取り出すことができる、配線・配管材引込みカバーを提供することにある。
【０００６】
【課題を解決するための手段】
この発明に係る配線・配管材引込みカバーは、前記目的を達成するために、次の構成からなる。すなわち、
請求項１に記載の発明に係る配線・配管材引込みカバーは、建物のコンクリート体に埋設される配線・配管材の保護管の端部と繋がるとともに、前記コンクリート体の外側に臨むようにしてそのコンクリート体に埋め込まれる引込みカバーである。そして、この配線・配管材引込みカバーは、前記保護管の端部が接続される中空のコネクタと、前記コンクリート体の外面と面一となる基準面を備えるカバー本体とを有する。ここで、前記コネクタは、前記カバー本体の一方側に設けられるとともに、そのコネクタの軸心が、前記カバー本体の他方側ほど前記基準面に近づくように、前記基準面に対して傾斜して設けられている。そして、前記コネクタは、前記カバー本体の外側に、そのコネクタの一方側の端面が前記カバー本体の取付板に当接するようにして、前記カバー本体に、固着手段を介して着脱可能に取り付けられる。一方、前記カバー本体は、前記コネクタの内側空間と連通するとともに前記基準面側に開口する開口部を備える。そして、前記カバー本体には、そのカバー本体の一方側を中心として、他方側が前記コンクリート体から抜け出すように回動するのを防止する抜脱防止部が、前記基準面と略直角となるようにして備わる。そこで、前記カバー本体は、前記固着手段が外されると、前記コネクタを残して、前記コンクリート体から、そのコンクリート体の前記外面と直交する方向に取り出し可能となっている。
【０００７】
こうして、カバー本体には、基準面と略直角となる抜脱防止部が備わっており、この抜脱防止部によって、カバー本体の一方側、すなわちコネクタがある側を中心として、他方側がコンクリート体から抜け出すように回動するのが防止される。
【０００８】
そして、固着手段を外すことで、カバー本体を、コンクリート体の外面と直交する方向に取り出すことができる。しかも、抜脱防止部は、コンクリート体の外面と面一となる基準面と、略直角となっており、カバー本体をコンクリート体の外面と直交する方向に取り出す際に、その取出しを、この抜脱防止部が邪魔することがない。
また、請求項２に記載の発明に係る配線・配管材引込みカバーのように、前記固着手段は、雄ネジ部が形成された中空の他のコネクタからなり、また、前記コネクタには、雌ネジ部が形成されており、前記コネクタの雌ネジ部に、前記他のコネクタの雄ネジ部が螺合することで、前記取付板を、前記コネクタと前記他のコネクタとで挟み込んでもよい。
【０００９】
また、請求項３に記載の発明に係る配線・配管材引込みカバーのように、前記抜脱防止部は、前記カバー本体の他方側に設けられているのが望ましい。こうして、抜脱防止部が、カバー本体の回動中心となるコネクタ側である一方側とは離れた他方側に設けられることで、この抜脱防止部の機能が十分に発揮される。
【００１０】
【発明の実施の形態】
以下、この発明に係る配線・配管材引込みカバーの実施の形態を図面に基づいて説明する。
【００１１】
図１ないし図４は、本発明に係る配線・配管材引込みカバーの一実施の形態を示す。図中符号１は、建物のコンクリート体としての、例えば、二重天井における上側の天井であって、上階のスラブに相当する。２は、天井１に埋設される配線・配管材の保護管であり、電力線、信号線等の配線材（図示せず）あるいは給水管、給湯管、ガス管等の配管材（図示せず）を収容保護するためのものである。３は、配線・配管材引込みカバーであり、前記保護管２の端部と繋がるとともに、天井１の外側（図示実施の形態においては下側）に臨むようにしてその天井１に埋め込まれる。
【００１２】
配線・配管材引込みカバー３は、図１に示すように、保護管２の端部が接続される中空のコネクタ４と、天井１の外面１ａ（図示実施の形態においては下面）と面一となる基準面５ａを備えるカバー本体５とを有している。ここで、コネクタ４は、カバー本体５の一方側Ｄ１に設けられるとともに、そのコネクタ４の軸心４ａが、カバー本体５の他方側Ｄ２ほど前記基準面５ａに近づくように、前記基準面５ａに対して傾斜して設けられている。そして、カバー本体５は、コネクタ４の内側空間４ｂと連通するとともに前記基準面５ａ側に開口する開口部５ｂを備えている。
【００１３】
具体的には、カバー本体５は、図１および図２に示すように、コネクタ４の軸心４ａに沿う筒状形状を斜めに切断したような形状の本体部５ｃを備えている。そして、この本体部５ｃにおける前記筒状形状の切断側が、前記開口部５ｂ側となっている。そして、この開口部５ｂ側には、そのほぼ全周に、鍔部５ｄが設けられており、この鍔部５ｄの底面が、前記基準面５ａとなっている。また、本体部５ｃには、その筒状形状の端部を覆うとともに、コネクタ４の軸心４ａと直交するようにして、取付板５ｅが設けられている。この取付板５ｅは、コネクタ４を取り付けるためのものであり、この取付板５ｅには、コネクタ４の内側空間４ｂとカバー本体５内とを連通させるための貫通孔５ｆが形成されている。また、カバー本体５には、この取付板５ｅの下端部分から突出する突出部５ｇが設けられている。そして、この突出部５ｇの底面は、前記基準面５ａと面一となって、それらが全体として、基準面５ａとなっている。
【００１４】
そして、カバー本体５には、そのカバー本体５の一方側Ｄ１、つまりコネクタ４のある側を中心として、他方側Ｄ２が天井１から抜け出すように回動するのを防止する抜脱防止部５ｈが、前記基準面５ａと略直角となるようにして備わっている。詳細には、この抜脱防止部５ｈは、コネクタ４のある側とは反対となる、カバー本体５の他方側Ｄ２であって、後述する固定手段Ｋに近接する位置に設けられている。そして、抜脱防止部５ｈは、カバー本体５の他方側Ｄ２の頂部部分から、基準面５ａとは反対側に略三角形状に突出する突部５ｉから、さらに板状に突出した突起部５ｊの、コネクタ４側とは反対側の面からなっている。
【００１５】
また、カバー本体５は、図２および図３に示すように、このカバー本体５を、天井１を形成する生コンクリートＮが打設される型枠６に固定するための、固定手段Ｋを備えている。この固定手段Ｋは、カバー本体５の他方側Ｄ２寄りの頂部部分から、カバー本体５内を下方に延びる筒部５ｋと、その筒部５ｋ内に保持される釘等の固定具５ｍとからなっている。そして、この固定具５ｍが、筒部５ｋ内に保持されたまま型枠６に打ち込まれることで、カバー本体５は、型枠６に固定される。その後、生コンクリートＮが打設されて、天井１が形成される（図３参照）。そして、型枠６が取り外される際に、筒部５ｋが根元から折り取られることで、この筒部５ｋと固定具５ｍは、カバー本体５から取り除かれる。
【００１６】
さらに、カバー本体５は、固定手段Ｋがある頂部から両サイドに下った位置に、この固定手段Ｋと選択的に用いられる、他の固定手段Ｌを備えている（図２参照）。この固定手段Ｌは、本体部５ｃと鍔部５ｄにまたがるように突出しており、その頂部Ｌ１が薄肉に形成されている。そして、別途用意される釘等の固定具（図示せず）が、頂部Ｌ１に貫通するようにして、型枠６に打ち込まれることで、前記固定手段Ｋと同様にして、カバー本体５は、型枠６に固定される。そして、生コンクリートＮが打設された後に、型枠６が取り外される際には、頂部Ｌ１と固定具とがともに、カバー本体５から取り除かれる。
【００１７】
一方、コネクタ４は、カバー本体５に、コネクタの機能を兼ね備えた、固着手段としての、中空の他のコネクタ７を介して、着脱可能に取り付けられる。すなわち、コネクタ４は、カバー本体５の外側に、そのコネクタ４の一方側の端面が取付板５ｅに当接するようにして配備される。そして、コネクタ４には、その一方側に、雌ネジ部４ｃが形成されており、他方側に、保護管２の端部が接続される。他のコネクタ７は、カバー本体５の内側に、そのコネクタ７の一方側のフランジ部７ｂが取付板５ｅに当接するようにして配備される。そして、他のコネクタ７には、その一方側に、フランジ部７ｂから先端側に突出するようにして雄ネジ部７ｃが形成されており、他方側に、他の、配線・配管材の保護管（図示せず）が接続される。このとき、コネクタ４の雌ネジ部４ｃに、他のコネクタ７の雄ネジ部７ｃが螺合することで、取付板５ｅを、両コネクタ４、７で挟み込んでおり、この挟み込みにより、コネクタ４および他のコネクタ７は、カバー本体５に取り付けられている。そして、他のコネクタ７が、雌ネジ部４ｃと雄ネジ部７ｃとの螺合を緩めるようにして外されると、コネクタ４を残して、カバー本体５は、天井１から、その天井１の外面１ａと直交する方向に取り出し可能となる（図４参照）。そして、このようにカバー本体５を天井１から取り出すことで、このカバー本体５を再利用することができる。
【００１８】
次に、以上の構成からなる配線・配管材引込みカバー３の作用効果について説明する。カバー本体５には、基準面５ａと略直角となる抜脱防止部５ｈが備わっており、この抜脱防止部５ｈによって、カバー本体５の一方側Ｄ１、すなわちコネクタ４がある側を中心として、他方側Ｄ２が天井１から抜け出すように回動するのが防止される。したがって、この抜脱防止部５ｈによって、この配線・配管材引込みカバー３が天井１から抜け出すのを防止することができる。その上、抜脱防止部５ｈが、カバー本体５の回動中心となるコネクタ４側である一方側Ｄ１とは離れた他方側Ｄ２に設けられることで、この抜脱防止部５ｈの機能が十分に発揮される。
【００１９】
また、他のコネクタ７を、コネクタ４から外すことで、カバー本体５とコネクタ４との固着が解除されて、カバー本体５を、天井１の外面１ａと直交する方向に取り出すことができる。このように、カバー本体５を天井１から取り出す方向が、天井１の外面１ａと直交する方向となっており、天井１の外側（図示実施の形態においては下側）であって、カバー本体５と向き合うところの側方に、障害物、例えば壁８等があっても、必要な場合には他のコネクタ７を外せば、カバー本体５を天井１から、容易に取り出すことができる（図４参照）。しかも、抜脱防止部５ｈは、天井１の外面１ａと面一となる基準面５ａと、略直角となっており、カバー本体５を天井１の外面１ａと直交する方向に取り出す際に、その取出しを、この抜脱防止部５ｈが邪魔することがない。
【００２０】
なお、本発明は、上述した実施の形態に限定されるわけではなく、その他種々の変更が可能である。例えば、コンクリート体は、天井１でなくとも、間仕切壁や外壁等の壁であってもよく、その他、建物を構成するコンクリート体であればどのような構成体であってもよい。
【００２１】
また、固着手段は、他のコネクタ７でなくとも、コネクタとしての機能を兼ね備えない、例えば、フランジ部７ｂと雄ネジ部７ｃとからなる等の固着具であってもよい。
【００２２】
【発明の効果】
以上、詳述したところから明らかなように、この発明に係る配線・配管材引込みカバーによれば、次の効果がある。
【００２３】
請求項１および２に記載された配線・配管材引込みカバーによれば、コンクリート体の外面と面一となる基準面と略直角な抜脱防止部によって、この配線・配管材引込みカバーがコンクリート体から抜け出すのを防止することができる。
【００２４】
そして、カバー本体をコンクリート体から取り出す方向が、コンクリート体の外面と直交する方向となっており、コンクリート体の外側であって、カバー本体と向き合うところの側方に障害物があっても、必要な場合には固着手段を外せば、カバー本体をコンクリート体から、容易に取り出すことができる。
【００２５】
また、請求項３に記載された配線・配管材引込みカバーによれば、加えて、抜脱防止部が、カバー本体の回動中心となるコネクタ側である一方側とは離れた他方側に設けられており、この抜脱防止部の機能を十分に発揮させることができる。
【図面の簡単な説明】
【図１】この発明に係る配線・配管材引込みカバーの一実施の形態の、断面図である。
【図２】同じく、カバー本体の斜視図である。
【図３】同じく、天井の形成過程を示す断面図である。
【図４】同じく、カバー本体をコンクリート体から取り出す過程を示す断面図である。
【図５】従来の配線・配管材引込みカバーを示す断面図である。
【符号の説明】
１  天井（コンクリート体）        １ａ  外面
２  保護管（配線・配管材の保護管）      ３  配線・配管材引込みカバー
４  コネクタ                      ４ａ  軸心
４ｂ  内側空間                    ４ｃ  雌ネジ部
５  カバー本体                    ５ａ  基準面
５ｂ  開口部                      ５ｅ  取付板
５ｈ  脱抜防止部
７  他のコネクタ（固着手段）      ７ｃ  雄ネジ部
Ｄ１  一方側                      Ｄ２  他方側
【図１】
0003565788.tif 000002
【図２】
0003565788.tif 000003
【図３】
0003565788.tif 000004
【図４】
0003565788.tif 000005
【図５】
0003565788.tif 000006